(57)【特許請求の範囲】
【請求項１】
光入口面と光出口面のうち一方が大きく他方が小さいテーパ型ロッドインテグレータを位置決めしつつ保持するロッドホルダであって、
ベースプレートと、
前記ベースプレートに設けられ、前記大きな面の側を位置決めして保持する第１開口が形成された第１枠状部を有する固定側支持部材と、
前記ベースプレートに設けられ、照明光軸に平行に形成された凸部又は凹部を有するガイド部と、
前記ガイド部に沿って移動可能に設けられ、前記テーパ型ロッドインテグレータの胴体部の途中箇所の形状及び大きさに対応した第２開口が形成された第２枠状部を有するスライド支持部材と、を備えており、
前記スライド支持部材は、前記凸部又は凹部に対応した凹部又は凸部を有し、前記凸部又は凹部と係合して移動し、前記胴体部の途中箇所を位置決めすると共に前記小さな面の側が自由端となるように保持することを特徴とするロッドホルダ。
【請求項２】
請求項１に記載のロッドホルダにおいて、他のロッド状の光インテグレータの一端側又は光路を所定角度変更するプリズムの一端側が前記固定側支持部材にて保持されるように構成されたことを特徴とするロッドホルダ。
【請求項３】
請求項１又は請求項２に記載のロッドホルダにおいて、前記テーパ型ロッドインテグレータから出射される光の偏光方向を揃える偏光変換装置が前記固定側支持部材にて保持されるように構成されたことを特徴とするロッドホルダ。
【請求項４】
光源と、前記光源から出射された光が入射されるテーパ型ロッドインテグレータと、前記テーパ型ロッドインテグレータを保持するための請求項１乃至請求項３のいずれかに記載のロッドホルダと、照射された光を変調するライトバルブと、前記ライトバルブからの映像光を投写する投写手段と、を備えたことを特徴とする投写型映像表示装置。
【発明の詳細な説明】
【技術分野】
【０００１】
この発明は、テーパ型ロッドインテグレータを保持するためのロッドホルダ及びこれを備えた投写型映像表示装置に関する。
【背景技術】
【０００２】
近年、投写型映像表示装置において、ＬＥＤ等の光源から出射される光の分散角低減及び光照射面内での輝度の不均一低減のためにテーパ型ロッドインテグレータを用いる照明系を搭載することが試みられている。そして、前記テーパ型ロッドインテグレータを保持するためのロッドホルダが提案されている（特許文献１参照）。
【特許文献１】特開２００４−９４１１５号公報
【発明の開示】
【発明が解決しようとする課題】
【０００３】
しかしながら、上記従来のロッドホルダでは、テーパ型ロッドインテグレータにおいてその形状に十分な精度が確保されていない場合にはテーパ型ロッドインテグレータの光軸中心を照明光軸に一致させることができないなどの不具合が生じることがある。また、上記従来のロッドホルダは、テーパ型ロッドインテグレータの光出口側と光入口側の２ヶ所を保持する部位を有して当該テーパ型ロッドインテグレータを保持するものであるが、前記２ヶ所の保持部位は筒状部材の内部での加工形成となるため、その精度確保も容易ではないと考えられる。
【０００４】
この発明は、上記の事情に鑑み、ロッドホルダ自身における精度の確保が比較的容易であり、また、テーパ型ロッドインテグレータにおいてその形状に十分な精度が確保されていない場合でもテーパ型ロッドインテグレータの光軸中心を照明光軸に極力一致させることができるようにすることを目的とする。
【課題を解決するための手段】
【０００５】
この発明のロッドホルダは、上記の課題を解決するために、光入口面と光出口面のうち一方が大きく他方が小さいテーパ型ロッドインテグレータを位置決めしつつ保持するロッドホルダであって、前記大きな面の側を位置決めして保持する第１開口が形成された第１枠状部を有する固定側支持部材と、照明光軸に平行に形成されたガイド部と、前記ガイド部に沿って移動可能に設けられるスライド支持部材と、を備えており、前記スライド支持部材は前記テーパ型ロッドインテグレータの胴体部の途中箇所の形状及び大きさに対応した第２開口が形成された第２枠状部を有しており、前記胴体部の途中箇所の位置で前記胴体部の途中箇所が前記第２開口にて位置決めされて保持されることを特徴とする。
【０００６】
上記の構成のロッドホルダは、第１枠状部を有する固定側支持部材とガイド部と第２開口を有する第２枠状部とから成っており、従来のロッドホルダのごとく筒状部材の内部においてロッド保持部位が加工形成されるものではないから、ロッドホルダ自身においてその精度を確保することが比較的容易である。また、前記スライド支持部材は前記ガイド部によって照明光軸に平行にスライドしてその第２開口によって前記テーパ型ロッドインテグレータの胴体部の途中箇所を位置決めして保持するから、テーパ型ロッドインテグレータにおいてその形状に十分な精度が確保されていない場合でもテーパ型ロッドインテグレータの光軸中心を照明光軸に極力一致させることが可能であり、更に、保持においてガタツキが生じるのを極力防止できる。
【０００７】
上記構成のロッドホルダにおいて、他のロッド状の光インテグレータの一端側又は光路を所定角度変更するプリズムの一端側が前記固定側支持部材にて保持されるように構成されていてもよい。
【０００８】
これら構成のロッドホルダにおいて、前記テーパ型ロッドインテグレータから出射される光の偏光方向を揃える偏光変換装置が前記固定側支持部材にて保持されるように構成されていてもよい。
【０００９】
また、この発明の投写型映像表示装置は、光源と、前記光源から出射された光が入射されるテーパ型ロッドインテグレータと、前記テーパ型ロッドインテグレータを保持するための上述したいずれかのロッドホルダと、照射された光を変調するライトバルブと、前記ライトバルブからの映像光を投写する投写手段と、を備えたことを特徴とする。
【発明の効果】
【００１０】
この発明のロッドホルダは、従来のロッドホルダのごとく筒状部材の内部においてロッド保持部位が加工形成されるものではないから、ロッドホルダ自身における精度確保が比較的容易である。また、テーパ型ロッドインテグレータにおいてその形状に十分な精度が確保されていない場合でもテーパ型ロッドインテグレータの光軸中心を照明系の光軸中心に極力一致させることができる。また、このようにテーパ型ロッドインテグレータの光軸中心を照明系の光軸中心に極力一致させることにおいて、組立作業者は特段の熟練を要さないなどの効果も奏する。
【発明を実施するための最良の形態】
【００１１】
以下、この発明の実施例を図１乃至図１４に基づいて説明していく。
【００１２】
図１は投写型映像表示装置の光学系を例示した説明図である。この投写型映像表示装置は、３つの照明装置５１Ｒ，５１Ｇ，５１Ｂを備える。各照明装置５１は、光源としてのＬＥＤ（発光ダイオード）１１と、テーパ型ロッドインテグレータ（以下、テーパロッドという）１２と、直方体形状ロッドインテグレータ（以下、延長ロッドという）１３と、を備える。そして、各照明装置５１の光出口側にライトバルブとしての液晶表示パネル１Ｒ，１Ｇ，１Ｂが配置される。
【００１３】
前記ＬＥＤ１１は、ＬＥＤチップ１１ａとヒートシンク（放熱板）１１ｂとから成る。照明装置５１ＲにおけるＬＥＤチップ１１ａは赤色光を出射し、照明装置５１ＧにおけるＬＥＤチップ１１ａは緑色光を出射し、照明装置５１ＢにおけるＬＥＤチップ１１ａは青色光を出射する。
【００１４】
各照明装置５１から出射された各色光が各色用の液晶表示パネル１Ｒ，１Ｇ，１Ｂを透過することによって各色映像光が生成される。そして、各色映像光はクロスダイクロイックプリズム２（クロスダイクロイックミラーでもよい）によって合成されてカラー映像光となる。このカラー映像光は投写レンズ３によって投写される。
【００１５】
前記液晶表示パネル１Ｒ，１Ｇ，１Ｂは例えば４：３或いは１６：９といったアスペクト比を有する。延長ロッド１３の光出口面は前記液晶表示パネル１Ｒ，１Ｇ，１Ｂと同一或いは略同一のアスペクト比を有していてもよい。また、テーパロッド１２の光出口面は延長ロッド１３の光入口面と同一或いは略同一のアスペクト比を有していてもよい。前記テーパロッド１２はその全側面である四面においてテーパを有するものでもよいし、そのうちの二面においてテーパを有する（他の二面は平行）ものでもよい。前記四面においてテーパを有する場合、テーパロッド１２の光出口面及び光入口面を同じアスペクト比とすることができる。高い加工精度で得られたテーパロッド１２であれば、当該テーパロッド１２の光出口面の中心と光入口面の中心とを結ぶ線はテーパロッド１２の光軸に一致し且つ前記光出口面及び光入口面は前記光軸に直交する。
【００１６】
図２及び図３はロッドホルダ２０を示した斜視図である。ベースプレート２１上にはガイド凸部２２が照明装置５１における照明光軸と平行な方向に形成されている。更に、前記ベースプレート２１上には固定側支持部材２３が設けられている。固定側支持部材２３は断面略Ｌ字形状を有しており、その立上部（第１枠状部）には第１開口２３ａが形成されている。また、固定側支持部材２３の土台部にはねじ挿通穴が形成されており、ベースプレート２１に形成されているねじ穴に前記ねじ挿通穴からねじが挿入されて前記ねじ穴に螺合されることにより、固定側支持部材２３がベースプレート２１に固定される。
【００１７】
前記第１開口２３ａは、テーパロッド１２の光出口面（大きな面）の形状及び大きさ並びに延長ロッド１３の光入口面の形状及び大きさに一致又は略一致している。一例として、図４に示すように、テーパロッド１２の光出口面よりも延長ロッド１３の光入口面が幾分大きくされている場合、これに対応させて前記第１開口２３ａに大開口部と小開口部とを存在させて段部を形成し、当該段部を延長ロッド１３の光入口面の当たりとしている。勿論、前記段部を有さずに延長ロッド１３とテーパロッド１２を直接的に接触させることとしてもよい。また、延長ロッド１３とテーパロッド１２とを接触させずに幾分の隙間が形成されるような開口形状、具体的にはテーパロッド１２の光出口面の縁部分が当たる当たり部を有する形状を前記第１開口２３ａに持たせてもよい。また、テーパロッド１２の光出口面の縁近傍に対面する箇所に例えば、片凸レンズの縁部分に相当する形状を有する光学素子を介在（透明接着剤で接着してもよい）させてもよい。
【００１８】
更に、ベースプレート２１上にスライド支持部材２４を設けることができる。このスライド支持部材２４は断面略Ｌ字形状を有しており、その立上部（第２枠状部）には第２開口２４ａが形成されている。また、スライド支持部材２４の土台部の底面中央には、前記ガイド凸部２２によってガイドされるガイド凹部２４ｂが形成されている。ガイド凸部２２とガイド凹部２４ｂとの嵌まりにおいては、ガタツキは極力生じないのがよい。スライド支持部材２４がガイド凹部２４ｂにガイドされる状態では、その立状部（第２枠状部）と固定側支持部材２３の立状部（第１枠状部）とは平行に対面する。更に、スライド支持部材２４の土台部には長穴形状のねじ挿通穴が形成されており、ベースプレート２１に形成されているねじ穴に前記ねじ挿通穴からねじが挿入されて前記ねじ穴に螺合されることにより、スライド支持部材２４をベースプレート２１に固定することができる。
【００１９】
第２開口２４ａは、テーパロッド１２の光入口面よりも大きくて光出口面よりは小さく、テーパロッド１２の胴体部の途中箇所の断面形状に一致した形状及び大きさを有している。第２開口２４ａの中心と第１開口２３ａの中心とを結ぶ線（以下、開口中心線という）は、前記ガイド凸部２２のガイド方向線に対して平行としている。また、第１開口２３ａの面及び第２開口２４ａの面は前記ガイド凸部２２のガイド方向線に直交する。更に、前記開口中心線と前記ガイド凸部２２のガイド方向線とを通る面はベースプレート２１に直交する。第２開口２４ａ内にテーパロッド１２の光入口側を通し、スライド支持部材２４を前記ガイド凸部２２に沿って移動させると、図３に示しているように、スライド支持部材２４は所定の位置で止まる（スライド不可状態となる）。なお、この止まり位置に対応して前記ベースプレート２１に前記ねじ穴が形成されているのであるが、誤差の発生を考慮して、先述のごとく、スライド支持部材２４には長穴形状のねじ挿通穴を形成している。
【００２０】
ところで、テーパロッド１２の加工精度が低い場合、例えば、テーパロッド１２の光軸に対してその光出口面が直交していない場合には、図５に示すように、テーパロッド１２は、その光出口面が延長ロッド１３の光入口面に対して斜めになって配置されなければならない。すなわち、このように斜めに配置しないとテーパロッド１２の光軸と延長ロッド１３の光軸とを一致させることができない。
【００２１】
仮に、図６に示すように、テーパロッド１２を、その光出口面が延長ロッド１３の光入口面に接して配置するような組み付けを行うこととすると、テーパロッド１２の光軸と延長ロッド１３の光軸とを一致させることができない。これに対し、スライド支持部材２４をガイド凸部２２にてガイドさせる構成であれば、図７に示すように、テーパロッド１２の光軸に対してその光出口面が直交していない場合でもガイド凸部２２を基準にしてテーパロッド１２の側面が前記第２開口２４ａにて左右方向（ガイド方向と垂直な方向）に押されつつテーパロッド１２は位置決めされるから、テーパロッド１２の光軸と延長ロッド１３の光軸とを一致させることができる。また、テーパ角度に多少のバラツキがある場合、先述の特許文献１のロッドホルダでは、ガタツキが生じたり、テーパロッドの光入口面とＬＥＤとの間の距離が変化したりしてしまうが、本願のロッドホルダであれば、スライド支持部材２４の止まり位置が幾分変わるだけであり、従来のロッドホルダにおける上述した問題も生じないことになる。なお、別言すれば、テーパロッド１２の加工精度が十分に確保されているならば延長ロッド１３とテーパロッド１２とを透明接着剤で接着（一体化）した後で投写型映像表示装置内に配置することも考えられるのであるが、テーパロッド１２の加工精度が十分でないような場合における上述したような光軸ずれを補償するためには、延長ロッド１３とテーパロッド１２とを接着しないで投写型映像表示装置内に配置する構成とするのが望ましい。また、本願構成であれば、従来のロッドホルダに比べて、ロッドホルダ自身における精度確保が比較的容易である。
【００２２】
図８は他の照明装置５２を示した説明図である。この照明装置５２は、テーパロッド１２′と延長ロッド１３との間に偏光変換装置４０を備える。偏光変換装置４０は二組の偏光変換部を備える。偏光変換部は偏光ビームスプリッタを二つ並べた構造、或いは一つの偏光ビームスプリッタと当該偏光ビームスプリッタからの光を反射する反射部材とを並べた構造を有する。そして、一つの偏光ビームスプリッタの光出射側又は前記反射部材の光出射側のいずれかに位相差板（１／２λ板）を備えており、一方の偏光光を他方の偏光光に変換することによって偏光方向を揃える。テーパロッド１２′はテーパロッド１２においてその光出口面の所定方向の寸法（この例では横寸法）が略半分とされた形状を有するものに相当する。
【００２３】
図９は前記照明装置５２におけるロッドホルダ２０′を示した斜視図である。基本的な構成は先述したロッドホルダ２０と同じである。図１０はロッドホルダ２０′の断面図である。ロッドホルダ２０′における固定側支持部材２３は、ロッドホルダ２０における固定側支持部材２３よりも厚みを厚くしてあり、第１開口２３ａにおける大開口部の厚み（奥行き）は偏光変換装置４０の厚みよりも厚くなっている。この大開口部にて偏光変換装置４０を保持するとともに延長ロッド１３の光入口面を支持している。なお、かかる構成においても、テーパロッド１２′と偏光変換装置４０とを、更には延長ロッド１３をも透明接着剤で固定（一体化）した後で投写型映像表示装置内に配置することも考えられるのであるが（これら光学素子の加工精度が十分である場合）、テーパロッド１２等の加工精度が十分でないような場合における上述したような光軸ずれを補償するためには、これら光学素子（ロッド等）を互いに接着しないで投写型映像表示装置内に配置する構成とするのがよい。
【００２４】
なお、スライド支持部材２４はテーパロッド１２の素材（例えば、ガラス）よりも硬度が低く、耐熱性を有する樹脂や金属等の素材（光源点灯によって上昇するテーパロッド１２の温度に耐えることができればよい）によって形成することができる。勿論、スライド支持部材２４の硬度がテーパロッド１２の素材（例えば、ガラス）よりも高い構成を排除するものではない。また、熱膨張によってテーパロッド１２がＬＥＤ１１側に延びた場合に、スライド支持部材２４の立上部が前記延び方向に傾く（変形する）とともに収縮したとき（元に戻ったとき）に復元できる（傾きが元に戻る）程度の弾性（厚み）を当該立上部に持たせてもよい。
【００２５】
また、第２開口２４ａがテーパロッド１２（１２′）の胴体部の途中箇所の断面に対応した形状及び大きさを有する例として、当該第２開口２４ａがテーパロッド１２の胴体部の途中箇所の断面形状に一致した形状及び大きさを有する例を挙げたが、これに限るものではない。テーパロッド１２（１２′）からの光損失を小さくするためには、テーパロッド１２（１２′）と第２開口２４ａとの接触面積を可及的に小さくすることが望ましく、第２開口２４ａが面でテーパロッド１２（１２′）を支持するよりも、線支持（線接触）、点支持（点接触）する方が、テーパロッド１２（１２′）内部の反射特性を維持することができる。従って、図１１（ａ）乃至（ｃ）に示すように、第２開口２４ａが曲線部或いは凸部（半円状に限らない）を有してテーパロッド１２（１２′）を点で支持するような形状についても、テーパロッド１２（１２′）の胴体部の途中箇所の断面形状に対応した形状及び大きさを有することに含まれるものとする。以上のことは第１開口２３ａについてもいえる。図１１（ｄ）は、前記曲線部或いは凸部に相当する円弧形状の板ばね４７にてテーパロッド１２の胴体部の途中箇所の側面を点で支持する構成例を示している。この場合、第２開口２４ａ自体は前記胴体部の途中箇所よりも大きく形成される。また、テーパロッド１２に対する４側面固定支持（４側面非弾性的支持）の観点から前記板ばね４７としては十分に硬い（こわさが大である）ものを採用することになるが、テーパロッド１２が熱膨張したときの力を受けて変形する（逃げる）程度の硬さを有するものとする。図１１（ｄ）におけるばね付きの第２開口２４ａも、テーパロッド１２（１２′）の胴体部の途中箇所の断面形状に対応した形状及び大きさを有することに含まれる。
【００２６】
勿論、テーパロッド１２（１２′）についても、断面が四角形に限られるものではなく、四隅をカットした八角形状などの形状を有する場合もある。また、テーパロッドとしては、透明体（ガラス等）からなるものに限らず、中空構造（内面がミラー面）のものも含まれる。
【００２７】
また、固定側支持部材２３に、前記テーパロッド１２（１２′）や延長ロッド１３、更には偏光変換装置４０を固定する機構を設けてもよい。例えば、図１２に示すように、ねじ４５にてテーパロッド１２の大きな面（光出口面）の側を側方から押さえる。この場合、第１開口２３ａは前記大きな面よりも大きく形成されることになり、前記大きな面の位置決め基準面は、図１２において第１開口２３ａにおける左側の縁及び下側の縁となる。また、この場合においては、第１開口２３ａと第２開口２４ａの中心同士を結ぶ線（開口中心線）は、前記テーパロッド１２（１２′）の光出口面の中心と光入口面の中心とを結ぶ線（ロッド中心線）に対して幾分ずれる。この場合、設計上のテーパロッド１２の配置位置（位置決め位置）におけるロッド中心線の真下にガイド凸部２２を形成するのが望ましい。なお、ねじ４５によるテーパロッド１２への過剰な押圧を回避するために、例えば、弾性部材（コイルばね、板ばね、ゴム等）をねじ４５の先端と光出口面との間に介在させ、当該弾性部材による略一定の押圧力にてテーパロッド１２を支持固定することとしてもよい。また弾性部材に代えて板部材を介在させてもよい。前記ねじ４５や弾性部材や板部材による押圧支持は偏光変換装置４０等に対しても行うことができる。また、図１１（ｄ）に示したばね付き開口を第１開口２３ａにも適用することができる。また、図１３に示すように、固定側支持部材２３にてプリズム４１の一端側を支持することもできる。プリズム４１を設ける場合には照明光軸を例えば９０°変更することができる。また、同じく図１３に示すように、固定側支持部材２３とスライド支持部材２４とは平行に対面する構造に限られるものではない。
【００２８】
また、固定側支持部材２３の立状部は４辺を有した四角枠形状を成するものに限るわけではない。例えば、図１４に示すようにコ字形状の部材と可動部材４６とから成る構成も採用できる。図１４において、前記コ字形状の部材における右立状部と下片部とが位置決め基準面を成し、左立状部は前記可動部材４６を支持する。この左立状部にはねじ穴が形成されている。また、可動部材４６には横方向に長い長穴が形成されている。可動部材４６を図の右側に移動させてその右縁にてテーパロッド１２の光出口面を側方から押さえつつ図示しないねじを前記長穴を通して前記ねじ穴に螺合させることでテーパロッド１２の光出口面が位置決め保持されることになる。
【００２９】
また、上記の例では、スライド支持部材２４の土台部の底面中央に前記ガイド凸部２２にガイドされるガイド凹部２４ｂを形成したが、凸と凹の関係を逆にしてもよいものである。また、ガイド押部２４ｂとガイド凸部２２を二組以上形成してもよいものである。
【００３０】
また、上記の例では、誘電体多層膜を用いた偏光変換装置４０を配置する例を示したが、ワイヤーグリッドを用いた偏光変換装置を配置する構成としてもよい。この場合、ワイヤーグリッドを用いた偏光変換装置の面の大きさとテーパロッドの光出口面の大きさは同じ又は略同じとされる。
【００３１】
また、上記の例では、３板式の投写型映像表示装置を示したが、単板式の投写型映像表示装置においても本願のロッドホルダを適用することができる。勿論、光を変調するライトバルブは透過型の液晶パネルに限らず、反射型の液晶パネルを用いてもよいし、微小ミラーを多数配置して成るライトバルブを用いてもよいものである。また、テーパロッド１２の大きな面を光入口面とし、小さな面を光出口面とする場合もあり得る。
【００３２】
また、上記の例では、図３に示しているように、テーパロッド１２を支持する固定側支持部材２３の支持点とスライド支持部材２４の支持点との間の距離（Ａ）と、ベースプレート２１に固定側支持部材２３を固定するねじの中心点とベースプレート２１にスライド支持部材２４を固定するねじの中心点との間の距離（Ｂ）とは異なっている（Ａ＞Ｂ）。熱膨張によってテーパロッド１２がＬＥＤ（光源）側に伸張する場合を想定すると、テーパロッド１２における前記距離Ａ相当部分の伸長量と、ベースプレート２１における前記距離Ｂ相当部分の伸長量とができるだけ同じになるように、これらテーパロッド１２とベースプレート２１の各々の線膨張係数を選定する（例えば、線膨張係数を互いに異ならせておく）のが望ましい。勿論、前記支持点間の距離（Ａ）と前記中心点間の距離（Ｂ）とが同じ距離となるような配置としてもよく、この場合には、これらテーパロッド１２とベースプレート２１の線膨張係数を互いに等しくしうる。また、Ａ＜Ｂとなる構成もあり得る。テーパロッド１２とベースプレート２１とにおける温度上昇時の各々の温度が相違するのであれば、そのことを加味して線膨張係数を選定する。テーパロッド１２として透明ガラスを採用する場合と透明樹脂を採用する場合とでは、それぞれ線膨張係数は異なる。同様に、ベースプレート２１として、樹脂を採用する場合、金属を採用する場合、セラミックを採用する場合では、それぞれ線膨張係数は異なる。また、上記の例では、光源にＬＥＤを用いた投写型映像表示装置を示したが、光源としてレーザーダイオードを用いてもよい。
【図面の簡単な説明】
【００３３】
【図１】この発明の実施形態の投写型映像表示装置の光学系の一例を示した説明図である。
【図２】この発明の実施形態のロッドホルダを例示した斜視図である。
【図３】図２に示すロッドホルダにおいてスライド支持部材を装着した状態を示した斜視図である。
【図４】図２に示したロッドホルダの断面図である。
【図５】加工精度が低いテーパロッドにおいてその光出口面が延長ロッドの光入口面に対して斜めになって配置されなければならない場合を示した説明図である。
【図６】図５に示した想定において、テーパロッドがその光出口面を延長ロッドの光入口面に接して配置されるためにテーパロッドの光軸と延長ロッドの光軸とが一致しない場合を示した説明図である。
【図７】図５に示した想定において、図２のロッドホルダを用いることで、テーパロッドの光軸に対してその光出口面が直交していない場合でも、テーパロッドの光軸と延長ロッドの光軸とを一致させることができることを示した説明図である。
【図８】照明装置の他の例を示した説明図である。
【図９】図８に示す照明装置に適用することができるロッドホルダを示した斜視図である。
【図１０】図９に示したロッドホルダの断面図である。
【図１１】同図（ａ）乃至（ｄ）はそれぞれスライド支持部材の第２開口の形状例を示した説明図である。
【図１２】テーパロッドの大きな面の側をねじで保持することができる構成を示した説明図である。
【図１３】プリズムを固定側支持部材にて保持する例を示した説明図である。
【図１４】固定側支持部材の他の例を示した説明図である。
【符号の説明】
【００３４】
１    液晶表示パネル
２    クロスダイクロイックプリズム
３    投写レンズ
１１  ＬＥＤ
１２，１２′  テーパ型ロッドインテグレータ（テーパロッド）
１３  直方体形状ロッドインテグレータ（延長ロッド）
２０，２０′  ロッドホルダ
２２  ガイド部材
２３  固定側支持部材
２４  スライド支持部材
５１，５２  照明装置
【図１】
0004675339.tif 000002
【図２】
0004675339.tif 000003
【図３】
0004675339.tif 000004
【図４】
0004675339.tif 000005
【図５】
0004675339.tif 000006
【図６】
0004675339.tif 000007
【図７】
0004675339.tif 000008
【図８】
0004675339.tif 000009
【図９】
0004675339.tif 000010
【図１０】
0004675339.tif 000011
【図１１】
0004675339.tif 000012
【図１２】
0004675339.tif 000013
【図１３】
0004675339.tif 000014
【図１４】
0004675339.tif 000015